(57)【要約】【課題】シャンクローラの滑性および耐久性を確保することにより、ハンマーの円滑な動作を、長期にわたって維持することができるグランドピアノのハンマー装置を提供する。【解決手段】押鍵に伴い、アクション３により駆動されることによって打弦を行うグランドピアノのハンマー装置１であって、不動のハンマーシャンクフレンジ１２と、ハンマーシャンクフレンジ１２に一端部において回動自在に支持されたハンマーヘシャンク１１ａと、ハンマーシャンク１１ａの他端部に設けられたハンマーヘッド１１ｂと、フッ素樹脂の繊維で構成された表面層１４ｄを有し、ハンマーシャンク１１ａに一体に設けられ、押鍵に伴って表面層１４ｄを介してアクション３により突き上げられるシャンクローラ１４と、を備えている。【選択図】  図１
2008129309.tif 000002
【特許請求の範囲】
【請求項１】
押鍵に伴い、アクションにより駆動されることによって打弦を行うグランドピアノのハンマー装置であって、
不動のハンマーシャンクフレンジと、
当該ハンマーシャンクフレンジに一端部において回動自在に支持されたハンマーシャンクと、
当該ハンマーシャンクの他端部に設けられたハンマーヘッドと、
フッ素樹脂の繊維で構成された表面層を有し、前記ハンマーシャンクに一体に設けられ、押鍵に伴って前記表面層を介して前記アクションにより突き上げられるシャンクローラと、
を備えていることを特徴とするグランドピアノのハンマー装置。
【請求項２】
前記シャンクローラは、
前記ハンマーシャンクの下側に一体に設けられた芯板と、
フェルトで構成され、前記芯板に設けられたベース層と、
皮革で構成され、前記ベース層を被覆するとともに前記表面層で被覆された中間層と、
をさらに有していることを特徴とする請求項１に記載のグランドピアノのハンマー装置。
【請求項３】
前記シャンクローラは、
前記ハンマーシャンクの下側に一体に設けられた芯板と、
フェルトで構成され、前記芯板に設けられるとともに前記表面層で被覆されたベース層と、
をさらに有していることを特徴とする請求項１に記載のグランドピアノのハンマー装置。
【発明の詳細な説明】
【技術分野】
【０００１】
本発明は、押鍵に伴いアクションにより駆動されることによって打弦を行うグランドピアノのハンマー装置に関する。
【背景技術】
【０００２】
従来のこの種のハンマー装置として、例えば特許文献１に開示されたものが知られている。このハンマー装置は、グランドピアノに鍵ごとに設けられており、ハンマーシャンクレールに固定されたハンマーフレンジ、およびこれに支持されたハンマーを備えている。ハンマーは、ハンマーフレンジに回動自在に取り付けられたシャンクホルダと、シャンクホルダと一体に設けられ、前後方向に延びるハンマーシャンク、およびハンマーシャンクの先端部に設けられたハンマーヘッドを有している。
【０００３】
また、シャンクホルダの下側には、これと一体にシャンクローラ芯が形成されており、このシャンクローラ芯には、これを前後から覆うように円柱状のシャンクローラが取り付けられている。シャンクローラはフェルトで構成されており、また、通常、その表面には皮革が貼り付けられている。ハンマーは、離鍵状態において、シャンクローラを介して、アクションのレペティションレバーに載置されており、アクションのジャックの上端部が、レペティションレバーを上下方向に貫通するジャック案内孔に係合した状態で、シャンクローラに若干の間隙を存して対向している。
【０００４】
鍵が押鍵されると、それに伴いアクションが駆動され、レペティションレバーおよびジャックなどが一緒に上方に移動することにより、ハンマーは押し上げられ、上方に回動する。その際、シャンクローラはレペティションレバーの上面を摺動する。そして、押鍵の途中で、レペティションレバーの移動が規制されるとともに、ジャックがシャンクローラを突き上げることにより、ハンマーが回動し、打弦を行うことによって、ピアノ音が発生する。ハンマーは、打弦後、押鍵時と逆方向に復帰回動し、バックチェックで係止されることにより一旦、停止する。そして、離鍵に伴い、係止状態を解除されたハンマーは、さらに下方に回動し、シャンクローラがレペティションレバーに当接し、載置された状態に復帰する。この当接時の衝撃は、シャンクローラによって緩和される。
【０００５】
また、一般に、シャンクローラが摺動する際の摩擦を軽減するために、シャンクローラと、レペティションレバーおよびジャックとの互いの当接部にはそれぞれ、黒鉛やフッ素樹脂の粉末などが塗布される。
【０００６】
しかし、上述したハンマー装置では、黒鉛やフッ素樹脂の粉末などは、シャンクローラなどに単純に塗布されているだけなので、押鍵の度に繰り返されるシャンクローラの摺動により、摩耗や剥離が生じやすい。このため、ハンマーの円滑な摺動を回復するために、フッ素樹脂の粉末などを鍵ごとに再度、塗布することが必要になる。また、通常、黒鉛には、レペティションレバーなどの木質材への定着のためににかわが含有されているので、硬化したにかわの影響によって、押鍵時にジャックにより突き上げられる際や、離鍵時にシャンクローラがレペティションレバーに当接する際に、雑音が発生しやすいという問題もある。
【０００７】
本発明は、上記のような課題を解決するためになされたものであり、シャンクローラの滑性および耐久性を確保することにより、ハンマーの円滑な動作を、長期にわたって維持することができるグランドピアノのハンマー装置を提供することを目的としている。
【０００８】
【特許文献１】特開２００１−３４３９７１号公報
【発明の開示】
【課題を解決するための手段】
【０００９】
上記の目的を達成するために、請求項１に係る発明は、押鍵に伴い、アクションにより駆動されることによって打弦を行うグランドピアノのハンマー装置であって、不動のハンマーシャンクフレンジと、ハンマーシャンクフレンジに一端部において回動自在に支持されたハンマーシャンクと、ハンマーシャンクの他端部に設けられたハンマーヘッドと、フッ素樹脂の繊維で構成された表面層を有し、ハンマーシャンクに一体に設けられ、押鍵に伴って表面層を介してアクションにより突き上げられるシャンクローラと、を備えていることを特徴とする。
【００１０】
このグランドピアノのハンマー装置によれば、押鍵に伴い、シャンクローラがアクションで突き上げられることによりハンマーが回動し、ハンマーヘッドによる打弦によって、ピアノ音が発生する。アクションが直接、当接するシャンクローラの表面層は、フッ素樹脂の繊維で構成されており、フッ素樹脂は高い滑性および耐摩耗性を有している。したがって、押鍵に伴い、シャンクローラがアクション上を円滑に摺動できるとともに、表面層の摩耗が抑制されることにより、ハンマーの円滑な動作を長期にわたって維持することができる。
【００１１】
また、シャンクローラに表面層を設けるだけで良好な摺動性を確保できるので、従来のような、シャンクローラおよびレペティションレバーなどの双方にフッ素樹脂の粉末などを塗布する工程を省略でき、それにより製造コストを削減することができる。
【００１２】
請求項２に係る発明は、請求項１に記載のグランドピアノのハンマー装置において、シャンクローラは、ハンマーシャンクの下側に一体に設けられた芯板と、フェルトで構成され、芯板に設けられたベース層と、皮革で構成され、ベース層を被覆するとともに、表面層で被覆された中間層と、をさらに有していることを特徴とする。
【００１３】
この構成のハンマー装置は、基本的に、従来のシャンクローラにフッ素樹脂の繊維で構成された表面層を設けただけのものであるので、既存のシャンクローラを利用することによって、製造コストの増大を抑制できるとともに、シャンクローラの緩衝性などの特性を従来とほぼ同じに維持することができる。
【００１４】
請求項３に係る発明は、請求項１に記載のグランドピアノのハンマー装置において、シャンクローラは、ハンマーシャンクの下側に一体に設けられた芯板と、フェルトで構成され、芯板に設けられるとともに、表面層で被覆されたベース層と、をさらに有していることを特徴とする。
【００１５】
この構成によれば、フッ素樹脂の繊維で構成された表面層によって、シャンクローラが円滑に摺動できるとともに、打弦後にハンマーが復帰回動する際、シャンクローラがレペティションレバーに当接したときの衝撃が、フェルトで構成された内側のベース層によって緩和される。このように、フェルトで構成された内側のベース層と、フッ素樹脂の繊維で構成された外側の表面層という非常に単純な構成で、シャンクローラに要求される機能を確保でき、請求項２の場合よりも製造コストを削減することができる。
【発明を実施するための最良の形態】
【００１６】
以下、本発明の好ましい実施形態を、図面を参照しながら詳細に説明する。図１は、本発明の一実施形態によるグランドピアノのハンマー装置１、鍵盤２およびアクション３などを、離鍵状態において示している。なお、以下の説明では、演奏者側から見たときのピアノの手前側を「前」、奥側を「後」として説明する。
【００１７】
棚板４上には筬５が設けられており、筬５は、前側から順に筬前（図示せず）、筬中５ａおよび筬後５ｂを有している。鍵盤２は、グランドピアノの左右方向に並んだ多数の鍵２ａ（１つのみ図示）によって構成されており、各鍵２ａは、前後方向（図１の左右方向）に延び、その中央において、バランスピン５ｃを介して筬中５ａに回動自在に支持されている。また、鍵２ａの後端部には、バックチェック座板２ｂが設けられており、これに立設されたバックチェックワイヤ２ｃの上端部には、バックチェック２ｄが設けられている。また、鍵２ａの後端部は、離鍵状態において、筬後５ｂに設けた鍵盤枕５ｄに着座している。
【００１８】
また、筬５には、左右方向に並設された複数のブラケット６（１つのみ図示）が設けられており、複数のブラケット６の間にはハンマーシャンクレール７が渡されている。ハンマー装置１は、ハンマーシャンクレール７に鍵２ａごとに設けられている（１つのみ図示）。
【００１９】
図２に示すように、ハンマー装置１は、ハンマー１１、およびこれを支持するハンマーシャンクフレンジ１２を有している。ハンマーシャンクフレンジ１２は、木質材または合成樹脂で構成され、ハンマーシャンクレール７の上面にねじ１２ａで固定されている。ハンマーシャンクフレンジ１２の後端部は、左右方向の幅が狭くなっており、この後端部には左右方向に貫通するピン取付け孔（図示せず）が形成されている。また、ハンマーシャンクフレンジ１２のピン取付け孔よりも前側の部分には、ドロップスクリュー１２ｂが下方からねじ込まれている。
【００２０】
ハンマー１１は、前後方向に延びるハンマーシャンク１１ａ、およびその後端部に設けられたハンマーへッド１１ｂを有しており、ハンマーヘッド１１ｂは、上方に水平に張られた弦Ｓに対向している。ハンマーシャンク１１ａは木質材で構成され、その前端部が取付け部１１ｃになっている。この取付け部１１ｃは、断面矩形で、左右方向の幅が他の部分よりも広くなっている。また、取付け部１１ｃの前端部には、二股状に分岐した左右２つの支持部１１ｄ、１１ｄが設けられている。各支持部１１ｄには、左右方向に貫通するピン孔（図示せず）が形成されている。
【００２１】
支持部１１ｄ、１１ｄは、ハンマーシャンクフレンジ１２の後端部の両側に配置されており、前者１１ｄの各ピン孔および後者１２のピン取付け孔に、１本のセンターピン１３が通されている。ハンマー１１は、このセンターピン１３を介して、ハンマーシャンクフレンジ１２に回動自在に支持されている。
【００２２】
ハンマーシャンク１１ａには、取付け部１１ｃの下面に、シャンクローラ１４が設けられている。図３に示すように、シャンクローラ１４は、取付け部１１ｃから下方に突出する芯板１４ａと、この芯板１４ａに順に貼り付けられたベース層１４ｂ、中間層１４ｃおよび表面層１４ｄを有している。取付け部１１ｃの下面には、左右方向の全体にわたって延びる溝１１ｆが形成されており、芯板１４ａは、その上端部が、溝１１ｆに嵌合した状態で、取付け部１１ｃに固定されている。
【００２３】
ベース層１４ｂは、例えば羊毛のフェルトで構成されており、芯板１４ａの前面および背面の下部を覆うように貼り付けられ、所定の径を有する円柱状に形成されている。中間層１４ｃは、ベース層１４ｂの外周面の全体にわたって貼り付けられており、ベース層１４ｂを被覆している。この中間層１４ｃは皮革で構成されており、所定の厚さを有している。さらに、表面層１４ｄは、この中間層１４ｃの外周面の全体にわたって貼り付けられ、中間層１４ｃを被覆している。この表面層１４ｄは、フッ素樹脂の繊維のフェルトで構成されており、中間層１４ｃよりも薄い所定の厚さを有している。シャンクローラ１４は、以上のようなベース層１４ｂ、中間層１４ｃおよび表面層１４ｄによって、全体として円柱状に形成されており、レペティションレバー２３に表面層１４ｄを介して載置されている。
【００２４】
図１に示すように、アクション３は、鍵盤２の後部の上方に設けられており、複数のブラケット６の間に渡されたウィッペンレール８に回動自在に取り付けられたウィッペン２１と、ウィッペン２１に回動自在に取り付けられたジャック２２およびレペティションレバー２３などを、鍵２ａごとに有している（いずれも１つのみ図示）。ウィッペン２１の前後方向の中央には、下方に突出するヒール部２１ａが設けられており、ウィッペン２１は、このヒール部２１ａを介して、鍵２ａの後部に設けたキャプスタンスクリュー２ｅに載置されている。
【００２５】
レペティションレバー２３は、木質材または合成樹脂で構成され、断面が矩形状で、斜め前上がりに前後方向に延びており、その中央において、ウィッペン２１に回動自在に取り付けられている。また、レペティションレバー２３は、ウィッペン２１に取り付けたレペティションスプリング２３ａによって、復帰方向（図１の反時計方向）に付勢されている。また、レペティションレバー２３の前部には、上下方向に貫通するジャック案内孔２３ｂが形成されている。このレペティションレバー２３の上面のジャック案内孔２３ｂ付近に、前述したシャンクローラ１４を介して、ハンマー１１が載置されている。また、レペティションレバー２３の前端部は、前述したハンマーシャンクフレンジ１２のドロップスクリュー１２ｂに、所定の間隔をもって下方から対向している。
【００２６】
ジャック２２は、合成樹脂で構成されており、上下方向に延びるハンマー突上げ部２２ａと、その下端部から前方にほぼ直角に延びる基部２２ｂとから、Ｌ字状に形成されている。ジャック２２は、ハンマー突上げ部２２ａと基部２２ｂとの角部において、ウィッペン２１の前端部に回動自在に取り付けられている。また、ハンマー突上げ部２２ａの上端部は、レペティションレバー２３のジャック案内孔２３ｂに係合するとともに、レペティションレバー２３に載置されたシャンクローラ１４と若干の間隔を存して対向している。また、ジャック２２は、前述したレペティションスプリング２３ａによって、復帰方向（図１の反時計方向）に付勢されている。
【００２７】
また、ハンマーシャンクレール７の下面に設けられたレギュレティングレール９には、ジャック２２の動作を規制するためのレギュレティングボタン９ａが、鍵２ａごとに取り付けられており（１つのみ図示）、ジャック２２の基部２２ｂの前端部と所定の間隔をもって上方から対向している。
【００２８】
以上の構成によれば、図１に示す離鍵状態から鍵２ａが押鍵されると、ウィッペン２１が、キャプスタンスクリュー２ｅを介して突き上げられることにより上方に回動するとともに、ジャック２２およびレペティションレバー２３が、ウィッペン２１と一緒に上方に移動する。この移動に伴い、レペティションレバー２３が、シャンクローラ１４を介してハンマー１１を押し上げる。その際、シャンクローラ１４は、その表面層１４ｄを介して、レペティションレバー２３の上面を前方に摺動する。押鍵がさらに進むと、レペティションレバー２３の前端部がドロップスクリュー１２ｂに係合することにより、レペティションレバー２３の上方への移動が規制される一方、ジャック２２は、上方に移動することにより、図４に示すように、ハンマー突上げ部２２ａがシャンクローラ１４を介してハンマー１１を突き上げる。
【００２９】
その後、ハンマー１１が弦Ｓを打弦する直前まで回動した時点で、ジャック２２の基部２２ｂがレギュレーティングボタン９ａに係合することによって、ジャック２２は図１の時計方向に回動し、ハンマー突上げ部２２ａがシャンクローラ１４から前方に抜ける。これにより、ハンマー１１は、アクション３および鍵２ａとの連結を解かれ、自由回動状態で弦Ｓを打弦することによって、ピアノ音が発生する。この打弦後に、ハンマー１１は、下方に復帰回動し、その途中で、ハンマーヘッド１１ｂがバックチェック２ｄに係止されることにより、一旦、停止する。
【００３０】
その後、鍵２ａが離鍵され、鍵２ａの反対方向に回動すると、ハンマーヘッド１１ｂの係止状態が解除され、ハンマー１１が下方にさらに回動する。それにより、シャンクローラ１４がレペティションレバー２３に当接し、ハンマー１１がレペティションレバー２３に載置された状態に復帰する。シャンクローラ１４がレペティションレバー２３に当接する際の衝撃は、前述したように構成されたベース層１４ｂ、中間層１４ｃおよび表面層１４ｄによって緩和される。
【００３１】
そして、押鍵深さの１／３程度まで戻されたタイミングで、レペティションスプリング２３ａのばね力によりレペティションレバー２３が作動し始め、レペティションレバー２３が反対方向に回動することによって、ハンマー１１をシャンクローラ１４を介して押し上げ、それに伴い、シャンクローラ１４は押鍵時と逆方向にレペティションレバー２３上を摺動する。鍵２ａがさらに戻されると、ジャック２２が、レペティションスプリング２３ａのばね力によって反時計方向に復帰回動し、レペティションレバー２３の下側に入り込むことによって、鍵２ａが完全に戻らなくても、次の打弦を行うことが可能になる。
【００３２】
以上のように、本実施形態のハンマー装置１によれば、レペティションレバー２３およびジャック２２が直接、当接するシャンクローラ１４の表面層１４ｄが、高い滑性および耐摩耗性を有するフッ素樹脂の繊維で構成されている。したがって、押鍵に伴い、シャンクローラ１４がレペティションレバー２３の上面を円滑に摺動できるとともに、表面層１４ｄの摩耗が抑制されることにより、ハンマー１１の円滑な動作を長期にわたって維持することができる。
【００３３】
また、シャンクローラ１４に表面層１４ｄを設けるだけで良好な摺動性を確保できるので、従来のような、シャンクローラおよびレペティションレバーなどの双方にフッ素樹脂の粉末などを塗布する工程を省略でき、それにより製造コストを削減することができる。
【００３４】
また、本実施形態のシャンクローラ１４は、基本的に、従来のシャンクローラの外周面をフッ素樹脂の繊維で構成された表面層１４ｄで被覆しただけのものであるので、既存のシャンクローラを利用することによって、製造コストの増大を抑制できるとともに、シャンクローラ１４の緩衝性などの特性を従来とほぼ同じに維持することができる。
【００３５】
図５は、シャンクローラの変形例を示している。同図に示すように、このシャンクローラ３１は、前述した実施形態の芯板１４ａと同様の芯板３１ａを有しており、この芯板３１ａは、ハンマーシャンク１１ａの取付け部１１ｃの下面に固定されている。また、実施形態では、芯板１４ａを被覆する層が、表面層１４ｄなどの計３層で構成されているのに対し、この変形例では、芯板３１ａを被覆する層が、ベース層３１ｂおよび表面層３１ｃの計２層で構成されている。
【００３６】
ベース層３１ｂもまた、実施形態のベース層１４ｂと同様に構成されており、羊毛のフェルトで構成されるとともに円柱状に形成され、芯板３１ａを被覆するように、これに貼り付けられている。また、表面層３１ｃは、実施形態の表面層１４ｄと同様、フッ素樹脂の繊維のフェルトで構成され、ベース層３１ｂを被覆している。また、シャンクローラ３１の径が実施形態のシャンクローラ１４の径とほぼ同じになるように、表面層３１ｃの厚さは、実施形態の中間層１４ｃと表面層１４ｄの厚さの和とほぼ等しく設定されている。
【００３７】
以上のように、本変形例のハンマー装置によれば、フッ素樹脂の繊維で構成された表面層３１ｃによって、シャンクローラ３１が円滑に摺動できるとともに、ハンマー１１が打弦後に復帰回動する際、シャンクローラ３１がレペティションレバー２３に当接したときの衝撃が、ベース層３１ｂおよび表面層３１ｃによって緩和される。このように、羊毛のフェルトで構成された内側のベース層３１ｂと、フッ素樹脂の繊維のフェルトで構成された外側の表面層３１ｃという非常に単純な構成で、シャンクローラに要求される機能を確保でき、前述した実施形態のハンマー装置１よりも製造コストを削減することができる。
【００３８】
なお、本発明は、上述した実施形態および変形例に限定されることなく、種々の態様で実施することができる。例えば、実施形態および変形例では、表面層として、フッ素樹脂の繊維で構成されたフェルトを用いているが、これに限定されることなく、フッ素樹脂の繊維で構成されたクロスを用いてもよい。また、実施形態などでは、ベース層として羊毛のクロスを、また、中間層として皮革を用いているが、緩衝性を確保することが可能な他の任意の材質を採用してもよい。その他、細部の構成を、本発明の趣旨の範囲内で適宜、変更することが可能である。
【図面の簡単な説明】
【００３９】
【図１】本発明の一実施形態によるグランドピアノのハンマー装置、アクションおよび鍵盤などを離鍵状態において示す側面図である。
【図２】図１のハンマー装置を示す斜視図である。
【図３】図１のハンマー装置のシャンクローラと、このシャンクローラが載置されたレペティションレバーの一部を示す部分拡大側面図である。
【図４】押鍵の途中において、ジャックがシャンクローラに当接した状態を示す部分拡大側面図である。
【図５】変形例によるシャンクローラなどを示す、図３と同様の部分拡大側面図である。
【符号の説明】
【００４０】
１    ハンマー装置
１１ａ  ハンマーシャンク
１１ｂ  ハンマーヘッド
１２    ハンマーシャンクフレンジ
１４    シャンクローラ
１４ａ  芯板
１４ｂ  ベース層
１４ｃ  中間層
１４ｄ  表面層
３１    シャンクローラ
３１ａ  芯板
３１ｂ  ベース層
３１ｃ  表面層
【図１】
2008129309.tif 000003
【図２】
2008129309.tif 000004
【図３】
2008129309.tif 000005
【図４】
2008129309.tif 000006
【図５】
2008129309.tif 000007